(57)【要約】【課題】レーダー装置を固定する補強部材により、車両衝突時におけるレーダー装置への破損を防止するとともに、当該補強部材にホーンを取付けることにより、ホーンなどの別部品が変形してレーダー装置に損傷を与えるのを防ぎ、かつメインラインでの組立工程の軽減も可能なレーダー装置の取付構造を提供することにある。【解決手段】本発明は、車両前部のフロントバンパー１の上部に上下一対のメンバーであるフードロックメンバー５及びフロントメンバー６を車幅方向に沿って配置し、上方のフードロックメンバー５の車両前後方向の位置を下方のフロントメンバー６よりも車両後方に配置し、フードロックメンバー５及びフロントメンバー６の中間部に補強部材４を架設し、補強部材４にレーダー装置７を固定するとともに、レーダー装置７の前面７ａが下方のフロントメンバー６の前面６ａよりも後方に位置するようにしている。【選択図】図３
2009287950.tif 000002
【特許請求の範囲】
【請求項１】
車両前部のフロントバンパーの上部に上下一対のメンバーを車幅方向に沿って配置し、前記上方のメンバーの車両前後方向の位置を前記下方のメンバーよりも車両後方に配置し、前記上下一対のメンバーの中間部に補強部材を架設し、該補強部材にレーダー装置を固定するとともに、該レーダー装置の前面が前記下方のメンバーの前面よりも後方に位置するようにしたことを特徴とするレーダー装置の取付構造。
【請求項２】
前記補強部材は、車両後方へ向かうに従って幅広に形成されていることを特徴とする請求項１に記載のレーダー装置の取付構造。
【請求項３】
前記補強部材には、前記レーダー装置に加えてホーンも取付けられていることを特徴とする請求項１または２に記載のレーダー装置の取付構造。
【請求項４】
前記補強部材の後端部の両側は、車幅方向の中間部よりも車両後方に位置する形状に形成され、前記補強部材の後端部の両側が前記上方のメンバーに固定された状態では、前記補強部材の中間部と前記上方のメンバーとの間にフードラッチを配置する空間部が形成されていることを特徴とする請求項１〜３のいずれか１項に記載のレーダー装置の取付構造。
【発明の詳細な説明】
【技術分野】
【０００１】
本発明は、レーダー装置の取付構造に係り、例えば、車両進行方向の物体の有無や相対的車間距離等を検知するＡＣＣ（Ａｄａｐｔｉｖｅ  Ｃｒｕｉｓｅ  Ｃｏｎｔｒｏｌ  Ｓｙｓｔｅｍ、車間距離制御システム）ミリ波レーダー装置の取付構造に関するものである。
【背景技術】
【０００２】
従来から、自動車の車体前部には、車両進行方向の物体の有無や相対的車間距離等を検知する物体検知装置（例えば、ミリ波レーダー装置）が搭載されている。このような物体検知装置の車体に対する取付構造としては、例えば、特許文献１に開示されているものがある。
【０００３】
特許文献１の物体検知装置の取付構造においては、車両衝突時の荷重によって車体外装部材（例えば、フロントバンパー）が当該物体検知装置の方向に移動するときに、車体外装部材に当接してその車体外装部材の移動方向を規制するガイド部材を備えている。このような構成を採用することにより、車両の衝突時に当該車体外装部材が衝突荷重を受けて物体検知装置の方向に移動しようとすると、車体外装部材がガイド部材に当接して案内されることになり、これによって車体外装部材の移動方向を規制している。
【特許文献１】特開２００７−８５７５１号公報
【発明の開示】
【発明が解決しようとする課題】
【０００４】
上述した従来の物体検知装置の取付構造にあっては、車体外装部材たるフロントバンパーの車両後方側に傾斜ガイド面を有するガイド部材が設けられているので、当該フロントバンパーの物体検知装置への影響はある程度避けることが可能である。しかしながら、フロントバンパーが車両下方に移動した後、さらに障害物（衝突して来た車両のバンパー）などが侵入して来る場合には、当該障害物が物体検知装置に接触し、損傷を与えるおそれがあった。
【０００５】
本発明はこのような実状に鑑みてなされたものであって、その目的は、レーダー装置を固定する補強部材により、車両衝突時におけるレーダー装置への破損を防止するとともに、当該補強部材にホーンを取付けることにより、ホーンなどの別部品が変形してレーダー装置に損傷を与えるのを防ぎ、かつメインラインでの組立工程の軽減も可能なレーダー装置の取付構造を提供することにある。
【課題を解決するための手段】
【０００６】
上記従来技術の有する課題を解決するために、本発明は、車両前部のフロントバンパーの上部に上下一対のメンバーを車幅方向に沿って配置し、前記上方のメンバーの車両前後方向の位置を前記下方のメンバーよりも車両後方に配置し、前記上下一対のメンバーの中間部に補強部材を架設し、該補強部材にレーダー装置を固定するとともに、該レーダー装置の前面が前記下方のメンバーの前面よりも後方に位置するようにしている。
具体的には、本発明は、車両前部に位置するフロントバンパーの上側の左右一対のヘッドランプの間にフロントグリルが配置され、そのフロントグリルの裏面側の上下位置に、長手方向が車幅方向に沿うように設けられた上下一対のメンバーを備えた車両であって、これら上下一対のメンバーの車幅方向の中間部に補強部材が架け渡された状態で取付けられ、該補強部材にレーダー装置が固定されている。このとき、上下一対のメンバーのうち、上方のメンバーは下方のメンバーに対して、車両前後方向の後方側に配置されるようにし、上下に配置されるメンバーを車両前後方向にずらしている。そして、補強部材は、下方のメンバーに固定され下端部と、車両後方に向かって略水平に延びる平面部と、該平面部から上方に起立して上方のメンバーの高さまで延出する立設面部と、さらにこの立設面部から屈曲して上方のメンバーに固定される上端部を備えた階段状に形成され、補強部材の平面部上にレーダー装置を固定し、該レーダー装置の前面が下方のメンバーの前面よりも車両前後方向の後方側に位置するようにしている。
【０００７】
また、本発明において、前記補強部材は、車両後方へ向かうに従って幅広に形成されている。
さらに、本発明において、前記補強部材には、前記レーダー装置に加えてホーンも取付けられている。
そして、本発明において、前記補強部材の後端部の両側は、車幅方向の中間部よりも車両後方に位置する形状に形成され、前記補強部材の後端部の両側が前記上方のメンバーに固定された状態では、前記補強部材の中間部と前記上方のメンバーとの間にフードラッチを配置する空間部が形成されている。
【発明の効果】
【０００８】
上述の如く、本発明に係るレーダー装置の取付構造は、車両前部のフロントバンパーの上部に上下一対のメンバーを車幅方向に沿って配置し、前記上方のメンバーの車両前後方向の位置を前記下方のメンバーよりも車両後方に配置し、前記上下一対のメンバーの中間部に補強部材を架設し、該補強部材にレーダー装置を固定するとともに、該レーダー装置の前面が前記下方のメンバーの前面よりも後方に位置するようにしたので、車両衝突時においてフロントバンパーなどの侵入物が車両後方に移動する場合に、フロントバンパーなどがレーダー装置に当たる前に、先ず下方のメンバー及び補強部材に接触することになり、衝撃荷重がレーダー装置に入力されるのを防ぐと同時に、補強部材を介して車両後方に位置する上方のメンバーに逃がすことができ、車両衝突時のレーダー装置への破損を防止することができる。
【０００９】
また、本発明において、前記補強部材は、車両後方へ向かうに従って幅広に形成されているので、補強部材の突っ張り効果を向上させることが可能となり、車両衝突時のレーダー装置への破損をより効果的に防ぐことができる。
【００１０】
さらに、本発明において、前記補強部材には、前記レーダー装置に加えてホーンも取付けられているので、ホーンを取付けるブラケットなどの別部品が車両衝突時に変形してレーダー装置に損傷を与えることは無くなるとともに、レーダー装置とホーンをまとめて補強部材に取付けることにより、部品点数を削減できるとともに、予め両者を部組みしておくことによるメインラインでの組立工程の軽減化を図ることができる。
【００１１】
そして、本発明において、前記補強部材の後端部の両側は、車幅方向の中間部よりも車両後方に位置する形状に形成され、前記補強部材の後端部の両側が前記上方のメンバーに固定された状態では、前記補強部材の中間部と前記上方のメンバーとの間にフードラッチを配置する空間部が形成されているので、フードラッチが補強部材及び上方のメンバーによって保護されることになり、車両衝突時においてフロントフードが開放するのを防止できる。
【発明を実施するための最良の形態】
【００１２】
以下、本発明に係るレーダー装置の取付構造について、図面を参照しながら、その実施形態に基づき詳細に説明する。
図１は本発明の実施形態に係るＡＣＣミリ波レーダー装置の取付構造が適用される自動車の正面図、図２は図１における自動車の車体からフロントグリル及びフロントバンパー組立体を取外した状態を示す分解斜視図（ＡＣＣミリ波レーダー装置は図示せず）、図３は本実施形態のＡＣＣミリ波レーダー装置を取付けた状態の拡大斜視図、図４は本実施形態のＡＣＣミリ波レーダー装置を固定する補強部材及び上下一対のメンバーの斜視図、図５は図３におけるＡ−Ａ線断面図である。なお、図５において矢印Ｆ方向は車両前方を示している。
【００１３】
図１〜図３に示すように、本発明の実施形態における自動車の車両前面部には、フロントバンパー１が車両の最も前方側に配設され、このフロントバンパー１の上方の車幅方向の左右両側部にはヘッドランプ１０が配設されている。この左右一対のヘッドランプ１０の間で、かつフロントバンパー１の上部には、複数の細かい孔を穿孔してなるフロントグリル２が設けられている。
また、フロントバンパー１の中間部にも、複数の細かい孔を穿孔してなるメイングリル２０が設けられている。このメイングリル２０は、主に、フロントバンパー１の車両後方のエンジンルーム内に配置されたラジエータ１１（図３参照）の放熱及び冷却用の外気導入のために設けられたものである。一方、上部のフロントグリル２は、ホーン９（図２及び図３参照）の音の透過やエンジンルーム内への外気導入、意匠性を目的として設けられたものである。なお、フロントグリル２の上方には、エンジンルームを開閉可能に覆うフロントフード３が取付けられている。
【００１４】
本実施形態における自動車の車体からフロントバンパー１、フロントグリル２及びフロントフード３を取外した車両前部の内部には、左右一対のヘッドランプ１０の間で、車幅方向に沿って延びる上下一対のメンバーであるフードロックメンバー５及びフロントメンバー６が配置されている。これらフードロックメンバー５及びフロントメンバー６は、それぞれフロントグリル２の裏面側の上下に位置するように配置されており、上方のフードロックメンバー５の車両前後方向の位置は、下方のフロントメンバー６よりも車両後方側に配置され、上下に配置されるメンバーを車両前後方向にずらしている。
【００１５】
上下のフードロックメンバー５及びフロントメンバー６の車幅方向の中間部には、架け渡された状態で取付けられる補強部材４が架設され、該補強部材４には、ＡＣＣミリ波レーダー装置７が固定されるようになっている。
このため、本実施形態の補強部材４は、図４及び図５に示すように、断面コ字状のフロントメンバー６の前面６ａにボルト等により固定される下端の固定面部４ａと、この固定面部４ａの上端に連続して車両後方に向かって屈曲した略水平に延びる平面部４ｂと、この平面部４ｂの後端から連続して上方に起立して上方のフードロックメンバー５の高さまで延出する立設面部４ｃと、この立設面部４ｃからさらに屈曲して上方のフードロックメンバー５に固定される上端の固定面部４ｄを備えた階段状に形成されている。平面部４ｂの中央の後端寄りの１箇所には、ボルト１２を螺入する取付孔１３が穿設され、上端の固定面部４ｄの左右２箇所には、ボルト１２を螺入する取付孔１４が穿設されている。
【００１６】
また、補強部材４は、突っ張り効果を高めるために、車両後方へ向かうに従って幅広に形成されている。しかも、補強部材４の固定面部４ｄの後端部両側が上方のフードロックメンバー５に固定された状態では、補強部材４の中間部と上方のフードロックメンバー５との間にフードラッチ１５を配置する空間部Ｓが形成されている。したがって、フロントフード３をロックするフードラッチ１５は、フロントフード３を閉じた状態で、補強部材４及び上方のフードロックメンバー５によって囲まれることになり、前突時のフロントフード３の開放を防げる構成となっている。
【００１７】
本実施形態のＡＣＣミリ波レーダー装置７は、図３及び図５に示すように、補強部材４の平面部４ｂ上に配置され、平面部４ｂの取付孔１３の１箇所にボルト１２を螺入するとともに、ブラケット８を介して上端の固定面部４ｄの取付孔１４の２箇所にボルト１２を螺入することによって、３箇所で補強部材４に固定されている。ブラケット８は、車両前後方向に沿ってそれぞれ延在している。
【００１８】
また、ＡＣＣミリ波レーダー装置７の前面７ａの車両前後方向の位置は、下方のフロントメンバー６の前面６ａよりも車両後方側に位置するように取付けられている。これは、ＡＣＣミリ波レーダー装置７よりも車体側のフロントメンバー６が車両後方に位置している場合、当該レーダー装置７の前方にはフロントバンパー１及びフロントグリル２等の剛性が比較的弱い部品しか存在しないことになるため、車両衝突時には当該レーダー装置７が簡単に破損するおそれがある。
一方、本実施形態の取付構造のように、補強部材４の下端の固定面部４ａがＡＣＣミリ波レーダー装置７の前面７ａよりも車両前方まで延びており、延びた部分が剛性を有する板金製のフロントメンバー６の前面６ａに取付けられていると、車両衝突時には、衝撃力がフロントメンバー６及び補強部材４を介してフードロックメンバー５へ伝達され、ＡＣＣミリ波レーダー装置７への破損が抑えられることになる。さらに、補強部材４は、車両後方へ向かうに従って幅広に形成されているため、フードロックメンバー５への突っ張り効果が高く、よりＡＣＣミリ波レーダー装置７への影響が軽減されることになる。
【００１９】
また、本実施形態の取付構造においては、車両後方へ向かうに従って幅広となる補強部材４に対して、ＡＣＣミリ波レーダー装置７の幅は一定であることから、図２及び図３に示すように、補強部材４の立設面部４ｃの左右両側の空いたスペースにホーン９がそれぞれ取付けられている。これにより、これらホーン９もＡＣＣミリ波レーダー装置７と同時に車両衝突による変形から守られることになり、他の部位に別体のブラケット等を用いて固定した場合に比べて、ホーン９及びホーン用ブラケットの変形により、当該レーダー装置７に損傷を与えるおそれが無くなる。
しかも、ＡＣＣミリ波レーダー装置７は、左右一対のブラケット８によって車体側のフードロックメンバー５に取付けられる構造となっているため、従来、車体へのレーダー装置７の取付作業とホーン９の取付作業がメインラインで別々の工程で行われていたが、本実施形態の取付構造では、ＡＣＣミリ波レーダー装置７とホーン９が同一の補強部材４に取付けられており、メインラインでの組立工数の軽減が図れることになる。
【００２０】
次に、本発明の実施形態の取付構造によってＡＣＣミリ波レーダー装置７を車体側に取付けるには、まず、ボルト１２及びブラケット８を用いてレーダー装置７を補強部材４の平面部４ｂ及び立設面部４ｃに固定するとともに、ホーン９も補強部材４の平面部４ｂの所定箇所に固定し、これらレーダー装置７及びホーン９を部組しておく。
次いで、補強部材４の下端の固定面部４ａを下方のフロントメンバー６の前面６ａに重ねてボルト締めし、補強部材４の上端の固定面部４ｄを上方のフードロックメンバー５にボルト締めして固定すれば、ＡＣＣミリ波レーダー装置７は、前面７ａがフロントメンバー６の前面６ａより車両後方に位置した状態で、補強部材４を介して車体側のフードロックメンバー５及びフロントメンバー６に取付けられることになる。
【００２１】
このように、本発明の実施形態に係るＡＣＣミリ波レーダー装置７の取付構造では、フロントバンパー１の上部に上下一対のフードロックメンバー５及びフロントメンバー６を車幅方向に沿って配置し、上方のフードロックメンバー５の車両前後方向の位置を下方のフロントメンバー６よりも車両後方に配置し、フードロックメンバー５及びフロントメンバー６の中間部に補強部材４を架設し、この補強部材４にレーダー装置７を固定するとともに、レーダー装置７の前面７ａが下方のフロントメンバー６の前面６ａよりも後方に位置するようにしているため、車両衝突時においてフロントバンパー１などが車両後方に移動する場合に、レーダー装置７に当たる前に、フロントメンバー６及び補強部材４に接触することになり、補強部材４を介して車両後方に位置する上方のフードロックメンバー５に衝撃荷重を伝達でき、車両衝突時のレーダー装置７への破損を防止することができる。
【００２２】
以上、本発明の実施の形態につき述べたが、本発明は既述の実施形態に限定されるものではなく、本発明の技術的思想に基づいて各種の変形および変更が可能である。
例えば、既述の実施形態においては、ＡＣＣミリ波レーダー装置７を３箇所で固定しているが、３箇所以上で固定しても良い。また、本発明の取付構造は、ＡＣＣミリ波レーダー装置７に限らず、他の目的のレーダー装置にも適用することが可能である。
【図面の簡単な説明】
【００２３】
【図１】本発明の実施形態に係るＡＣＣミリ波レーダー装置の取付構造が適用される自動車を示す正面図である。
【図２】図１における自動車の車体からフロントグリル及びフロントバンパー組立体を取外した状態を示す分解斜視図である。
【図３】本実施形態のＡＣＣミリ波レーダー装置を取付けた状態を示す拡大斜視図である。
【図４】本実施形態のＡＣＣミリ波レーダー装置を固定する補強部材及び上下一対のメンバーを示す斜視図である。
【図５】図３におけるＡ−Ａ線断面図である。
【符号の説明】
【００２４】
１  フロントバンパー
２  フロントグリル
３  フロントフード
４  補強部材
４ａ  固定面部
４ｂ  平面部
４ｃ  立設面部
４ｄ  固定面部
５  フードロックメンバー（上方のメンバー）
６  フロントメンバー（下方のメンバー）
６ａ  前面
７  ＡＣＣミリ波レーダー装置
７ａ  前面
８  ブラケット
９  ホーン
１０  ヘッドランプ
１２  ボルト
１３，１４  取付孔
１５  フードラッチ
Ｓ  空間部
【図１】
2009287950.tif 000003
【図２】
2009287950.tif 000004
【図３】
2009287950.tif 000005
【図４】
2009287950.tif 000006
【図５】
2009287950.tif 000007